(57)【要約】【課題】  装飾具の環状体に係合された装飾体を容易に組み替えて、確実に係止することができる環状装身具を提供する。【解決手段】  首や手首および足首等に巻き付ける環状体２と、環状体２を形成するように両端部を着脱する第１留金３と、環状体２に接続されたネックレスのペンダント、ブレスレットヘッド、およびアンクレットヘッド等の装飾体５と、前記環状体２には雄型留金４ａが結合され、前記装飾体５には雌型留金４ｂが一体に配設されて前記環状体２と前記装飾体５とを着脱する第２留金４とを備えることを特徴とする装身具１である。【選択図】      図１
2005198930.tif 000002
【特許請求の範囲】
【請求項１】
首や手首および足首等に巻き付ける環状体と、
前記環状体を形成するように両端部を着脱する第１留金と、
前記環状体に接続されたネックレスのペンダント、ブレスレットヘッド、およびアンクレットヘッド等の装飾体と、
前記環状体には雄型留金が接続され、前記装飾体には雌型留金が配設されて前記環状体と前記装飾体とを連結する第２留金と、
を備えることを特徴とする装身具。
【請求項２】
前記環状体には雌型留金が配設され、前記装飾体には雄型留金が接続されて前記環状体と前記装飾体とを連結する第２留金、とすることを特徴とする請求項１に記載された装身具。
【請求項３】
前記環状体には位置が固定される固定連結環が配設され、前記固定連結環と前記第２留金の雄型留金または雌型留金とが接続または配設されていることを特徴とする請求項１または請求項２に記載の装身具。
【請求項４】
耳に着脱するイヤリングまたはピアスの第１留金と、
前記第１留金とを接続する装飾体と、
前記第１留金には雄型留金が接続され、前記装飾体には雌型留金が配設されて前記第１留金と前記装飾体とを連結する第２留金と、
を備えることを特徴とする装身具。
【請求項５】
前記第１留金には雌型留金が配設され、前記装飾体には雄型留金が接続されて前記第１留金と前記装飾体とを連結する第２留金、とすることを特徴とする請求項４に記載された装身具。
【請求項６】
耳に着脱するイヤリングまたはピアスの第１留金と、
前記第１留金と装飾体とを接続する垂下体と、
前記垂下体の下端部に接続する装飾体と、
前記垂下体には雄型留金が接続され、前記装飾体には雌型留金が配設されて前記垂下体と前記装飾体とを連結する第２留金と、
を備えることを特徴とする装身具。
【請求項７】
前記垂下体には雌型留金が配設され、前記装飾体には雄型留金が接続されて前記垂下体と前記装飾体とを連結する第２留金、とすることを特徴とする請求項６に記載された装身具。
【請求項８】
ブローチと、
前記ブローチに接続された装飾体と、
前記ブローチには雌型留金が配設され、前記装飾体には雄型留金が接続されて前記ブローチと装飾体とを連結する第２留金と、
を構えることを特徴とする装身具。
【請求項９】
前記ブローチには雄型留金が接続され、前記装飾体には雌型留金が配設されて前記ブローチと装飾体とを連結する第２留金、とすることを特徴とする請求項８に記載された装身具。
【請求項１０】
前記装飾体の連結には第３留金を設けたことを特徴とする請求項１〜２、請求項４〜９に記載された装身具。
【発明の詳細な説明】
【技術分野】
【０００１】
本発明は、ネックレス、ブレスレット、アンクレット、イヤリング、ピアスおよびブローチ等の装身具に関し、詳しくは、装飾体を組み替え可能にするための留金を有する装身具に関する。
【背景技術】
【０００２】
従来、例えば、ペンダントを装飾体としたネックレスの装身具７０が知られている（例えば、特許文献１参照）。図１４は従来技術のペンダント付きネックレスを示す斜視図である。図１４に示すように、この種の環状の装身具７０は、例えば、数珠玉により形成されている環状体７２と、首の裏側で接続する留金７３と、ペンダントである装飾体７５とによって構成されている。また、この留金７３は、引き輪７３ａとプレート７３ｂで構成されている。この留金７３の代わりとしては、先に本願出願人が開示した簡単に着脱可能で、しかもコンパクトにした装身具の環状体の両端を着脱できる装身具の留金としてもよい（例えば、特許文献２参照）。
【特許文献１】特開２００３−１０２５２３号公報（図１、図５等）
【特許文献２】特開平９−１８２６０９号公報（段落００１８〜００３１、図１〜図４等）
【発明の開示】
【発明が解決しようとする課題】
【０００３】
しかしながら、これまで、前記した装飾体７５に接続された連結環７４に、環状体７２を挿通して容易に組み替えて楽しむ、または、以前と異なる装飾体７５を組み替えて、新たな価値を作り出すという試みや発想は存在しなかったため、容易に組み替えることができる構成にはなっていなかった。従って、ユーザー（使用者）が、異なる形状、色彩、または模様やデザインの装飾体が欲しいときは、新しい装飾体を買い求めることになり、ユーザーに経済的負担を負わせるという問題があった。
【０００４】
そこで、本発明は、装身具７０の環状体７２によって挿通された装飾体７５を容易に連結して組み替えを楽しむ、そして、組み替えに要するユーザーの経済的な負担を軽減させるもの、ユーザーが所有する環状体７２と異なるデザインを施した装飾体７５とを自由に組み替え、連結することができる装身具７０を提供することを課題とする。
【課題を解決するための手段】
【０００５】
請求項１に記載の装身具の発明は、前記環状体を形成するように両端部を着脱する第１留金と、前記環状体に接続されたネックレスのペンダント、ブレスレットヘッド、およびアンクレットヘッド等の装飾体と、前記環状体には雄型留金が接続され、前記装飾体には雌型留金が配設されて前記環状体と前記装飾体とを連結する第２留金とを備えることを特徴とする。
【０００６】
請求項１に記載の発明によれば、ユーザーが所有する環状体に接続された一方の第２留金（雄型留金）に、ユーザーが選択（新な購入も含む）した装飾体（装飾体には他方の第２留金（雌型留金）が一体に配設されている）を連結することにより、容易に着脱して組み替えを楽しむことができる。また、環状体の第１留金と雄型留金を共通品とすることができる。これにより、いろいろの装飾体を組み替えられるため、ユーザーが新たに装身具を購入する場合と比較して、環状体と雄型留金の分だけ経済的な負担を軽減できる。
【０００７】
請求項２に記載の発明は、請求項１に記載の装身具であって、前記環状体には雌型留金が配設され、前記装飾体には雄型留金が接続されて前記環状体と前記装飾体とを連結する第２留金、とすることを特徴とする。
【０００８】
請求項２に記載の発明によれば、ユーザーが所有する環状体に配設されている一方の第２留金（雌型留金）と、ユーザーが選択（新な購入も含む）した装飾体に接続された他方の第２留金（雄型留金）を連結することにより、環状体と、雌型留金を共通品とすることができる。これにより、いろいろの装飾体が容易に組み替えられるため、ユーザーが新たに装身具を購入する場合と比較して、環状体の第１留金と雌型留金の分だけ経済的な負担を軽減できる。また、比較的に製造コストを要する雌型留金を環状体に配設させて共通品とすることができるため、さらにユーザーが装身具に対するトータル製造コストを低く抑えることができる。
【０００９】
請求項３に記載の発明は、請求項１または請求項２に記載の装身具であって、前記環状体には位置が固定される固定連結環が配設され、前記固定連結環と前記第２留金の雄型留金または雌型留金とが接続または配設されていることを特徴とする。
【００１０】
請求項３に記載の発明によれば、固定連結環は環状体２に位置決めができる構成になるため、例えば、環状体２の中央に固定連結環を配設することにより、首の裏側の第１留金を手探りで捜す必要はなく、装飾体５の位置を確認することでズレを直すことができる。
【００１１】
請求項４に記載の装身具の発明は、耳に着脱するイヤリングまたはピアスの第１留金と、前記第１留金とを接続する装飾体と、前記第１留金には雄型留金が接続され、前記装飾体には雌型留金が配設されて前記第１留金と前記装飾体とを連結する第２留金と、を備えることを特徴とする。
【００１２】
請求項４に記載の発明によれば、ユーザーが所有する第１留金に接続されている一方の第２留金（雄型留金）に、ユーザーが選択した装飾体（装飾体には雌型留金（他方の第２留金）が配設されている）を連結することにより、第１留金と、雄型留金を共通品とすることができる。これにより、いろいろの装飾体を組み替えられるため、ユーザーが新たに装身具を購入する場合と比較して、第１留金と、雄型留金の分だけ経済的な負担が軽減できる。
【００１３】
請求項５に記載の発明によれば、請求項４に記載された装身具であって、前記第１留金には雌型留金が配設され、前記装飾体には雄型留金が接続されて前記第１留金と前記装飾体とを連結する第２留金、とすることを特徴とする。
【００１４】
請求項５に記載の発明によれば、ユーザーが所有する第１留金に配設された雌型留金（一方の第２留金）と、ユーザーが選択した装飾体に接続された雄型留金（他方の第２留金）を連結することにより、第１留金と、雌型留金を共通品とすることができる。これにより、いろいろの装飾体を容易に組み替えられるため、ユーザーが新たに装身具を購入する場合と比較して、第１留金と、雌型留金の分だけ経済的な負担が軽減できる。また、比較的に製造コストを要する雌型留金を共通品とすることができるため、さらにユーザーが装身具に対するトータル製造コストを低く抑えることができる。
【００１５】
請求項６に記載の装身具の発明は、耳に着脱するイヤリングまたはピアスの第１留金と、前記第１留金と装飾体とを接続する垂下体と、前記垂下体の下端部に接続する装飾体と、前記垂下体には雄型留金が接続され、前記装飾体には雌型留金が配設されて前記垂下体と前記装飾体とを連結する第２留金とを備えることを特徴とする。
【００１６】
請求項６に記載の発明によれば、ユーザーが所有する第１留金に接続された垂下体に接続されている雄型留金に、ユーザーが選択した装飾体（雌型留金が一配設されている）を連結することにより、第１留金と、垂下体と、雄型留金を共通品とすることができる。これにより、いろいろの装飾体を組み替えられるため、ユーザーが新たに装身具を購入する場合と比較して、第１留金と、垂下体と、雄型留金の分だけ経済的な負担が軽減できる。
【００１７】
請求項７に記載の発明は、請求項６に記載の装身具であって、前記垂下体には雌型留金が配設され、前記装飾体には雄型留金が接続されて前記垂下体と前記装飾体とを連結する第２留金、とすることを特徴とする。
【００１８】
請求項７に記載の発明によれば、ユーザーが所有する第１留金と垂下体に配設された雌型留金と、ユーザーが選択した装飾体に接続された雄型留金を連結することにより、第１留金と、垂下体と、雌型留金を共通品とすることができる。これにより、いろいろの装飾体を容易に組み替えられるため、ユーザーが新たに装身具を購入する場合と比較して、第１留金と、垂下体と、雌型留金の分だけ経済的な負担が軽減できる。また、比較的に製造コストを要する雌型留金を共通品とすることができるため、さらにユーザーが装身具に対するトータル製造コストを低く抑えることができる。
【００１９】
請求項８に記載の発明は、ブローチと、前記ブローチに接続された装飾体と、前記ブローチには雌型留金が配設され、前記装飾体には雄型留金が接続されて前記ブローチと装飾体とを連結する第２留金とを構えることを特徴とする。
【００２０】
請求項８に記載の発明によれば、ユーザーが所有するブローチに配設された一方の第２留金（雌型留金）と、ユーザーが選択した装飾体に接続された他方の第２留金（雄型留金）を連結することにより、ブローチと雌型留金を共通品とすることができる。これにより、いろいろの装飾体を容易に組み替えられるため、ユーザーが新たにブローチを購入する場合と比較して、ブローチと雌型留金の分だけ経済的な負担が軽減できる。また、比較的に製造コストを要する雌型留金をブローチに配設させて共通化を図ることができるため、さらにユーザーが装身具に対するトータル製造コストを低く抑えることができる。
【００２１】
請求項９に記載の発明は、請求項８に記載された装身具であって、前記ブローチには雄型留金が接続され、前記装飾体には雌型留金が配設されて前記ブローチと装飾体とを連結する第２留金、とすることを特徴とする。
【００２２】
請求項９に記載の発明によれば、ユーザーが所有するブローチに接続された一方の第２留金（雄型留金）と、ユーザーが選択した装飾体に配設された他方の第２留金（雌型留金）を連結することにより、ブローチと雄型留金を共通品とすることができる。これにより、いろいろの装飾体を容易に組み替えられるため、ユーザーが新たにブローチを購入する場合と比較して、ブローチと雄型留金の分だけ経済的な負担が軽減できる。
【００２３】
請求項１０に記載の発明は、請求項１〜２、請求項４〜９に記載された装身具であって、前記装飾体の連結には第３留金を設けたことを特徴とする。
【００２４】
請求項１０に記載の発明によれば、装飾体の連結に第３留金を設けたことにより、容易に位置決めができて、しかも、簡単な操作をするだけで、装身体の装着ができる。
また、第３留金により、複数個の接続が容易にできる。さらに、ネックレスに限らず、ブレスレット、アンクレット、イヤリング、ピアス、ブローチ等の装身具にも、第３留金を使用して装飾体の組み替えができる。
【発明の効果】
【００２５】
請求項１に記載された発明によれば、ユーザーが所有する環状体に接続された一方の第２留金（雄型留金）に、ユーザーが選択（新な購入も含む）した装飾体（装飾体には他方の第２留金（雌型留金）が一体に配設されている）を連結することにより、容易に着脱して組み替えを楽しむことができる。また、環状体と、雄型留金を共通品とすることができる。これにより、いろいろの装飾体を組み替えられるため、ユーザーが新たに装身具を購入する場合と比較して、環状体と雄型留金の分だけ経済的な負担を軽減できる。
【００２６】
請求項２に記載された発明によれば、ユーザーが所有する環状体に配設されている一方の第２留金（雌型留金）と、ユーザーが選択（新な購入も含む）した装飾体に接続された他方の第２留金（雄型留金）を連結することにより、環状体の第１留金と雌型留金を共通品とすることができる。これにより、いろいろの装飾体が容易に組み替えられるため、ユーザーが新たに装身具を購入する場合と比較して、環状体と、雌型留金の分だけ経済的な負担を軽減できる。また、比較的に製造コストを要する雌型留金を環状体に配設させて共通品とすることができるため、さらにユーザーが装身具に対するトータル製造コストを低く抑えることができる。
【００２７】
請求項３に記載の発明によれば、固定連結環は環状体２に位置決めができる構成になるため、例えば、環状体２の中央に固定連結環を配設することにより、首の裏側の第１留金を手探りで捜す必要はなく、装飾体５の位置を確認することでズレを直すことができる。
【００２８】
請求項４に記載の発明によれば、ユーザーが所有する第１留金に接続されている一方の第２留金（雄型留金）に、ユーザーが選択した装飾体（装飾体には雌型留金（他方の第２留金）が配設されている）を連結することにより、第１留金と、雄型留金を共通品とすることができる。これにより、いろいろの装飾体を組み替えられるため、ユーザーが新たに装身具を購入する場合と比較して、第１留金と、雄型留金の分だけ経済的な負担が軽減できる。
【００２９】
請求項５に記載の発明によれば、ユーザーが所有する第１留金に配設された雌型留金（一方の第２留金）と、ユーザーが選択した装飾体に接続された雄型留金（他方の第２留金）を連結することにより、第１留金と、雌型留金を共通品とすることができる。これにより、いろいろの装飾体を容易に組み替えられるため、ユーザーが新たに装身具を購入する場合と比較して、第１留金と、雌型留金の分だけ経済的な負担が軽減できる。また、比較的に製造コストを要する雌型留金を共通品とすることができるため、さらにユーザーが装身具に対するトータル製造コストを低く抑えることができる。
【００３０】
請求項６に記載の発明によれば、ユーザーが所有する第１留金から下げた垂下体に接続されている一方の第２留金（雄型留金）に、ユーザーが選択した装飾体（装飾体には他方の第２留金（雌型留金）が一体に設けられている）を連結することにより、第１留金と、垂下体と、雄型留金を共通品とすることができる。これにより、いろいろの装飾体を組み替えられるため、ユーザーが新たに装身具を購入する場合と比較して、第１留金と、垂下体と、雄型留金の分だけ経済的な負担が軽減できる。
【００３１】
請求項７に記載の発明によれば、ユーザーが所有する第１留金と垂下体に配設された一方の第２留金（雌型留金）と、ユーザーが選択した装飾体に接続された他方の第２留金（雄型留金）を連結することにより、第１留金と、垂下体と、雌型留金を共通品とすることができる。これにより、いろいろの装飾体を容易に組み替えられるため、ユーザーが新たに装身具を購入する場合と比較して、第１留金と、垂下体と、雌型留金の分だけ経済的な負担が軽減できる。また、比較的に製造コストを要する雌型留金を共通品とすることができるため、さらにユーザーが装身具に対するトータル製造コストを低く抑えることができる。
【００３２】
請求項８に記載の発明によれば、ユーザーが所有するブローチに配設された一方の第２留金（雌型留金）と、ユーザーが選択した装飾体に接続された他方の第２留金（雄型留金）を連結することにより、ブローチと、雌型留金を共通品とすることができる。これにより、いろいろの装飾体を容易に組み替えられるため、ユーザーが新たにブローチを購入する場合と比較して、ブローチと雌型留金の分だけ経済的な負担が軽減できる。また、比較的に製造コストを要する雌型留金をブローチに配設させて共通化を図ることができるため、さらにユーザーが装身具に対するトータル製造コストを低く抑えることができる。
【００３３】
請求項９に記載の発明によれば、ユーザーが所有するブローチに接続された一方の第２留金（雄型留金）と、ユーザーが選択した装飾体に配設された他方の第２留金（雌型留金）を連結することにより、ブローチと、雄型留金を共通品とすることができる。これにより、いろいろの装飾体を容易に組み替えられるため、ユーザーが新たにブローチを購入する場合と比較して、ブローチと雄型留金の分だけ経済的な負担が軽減できる。
【００３４】
請求項１０に記載の発明によれば、装飾体の連結に第３留金を設けたことにより、容易に位置決めができて、しかも、簡単な操作をするだけで、装身体の装着ができる。
また、第３留金により、複数個の接続が容易にできる。さらに、ネックレスに限らず、ブレスレット、アンクレット、イヤリング、ピアス、ブローチ等の装身具にも、第３留金を使用して装飾体の組み替えができる。
【発明を実施するための最良の形態】
【００３５】
以下、本発明に係る装身具１について、図面を参照して説明する。
＜第1実施の形態＞
図１（ａ）は第1実施の形態を示し、ペンダント用の環状体２を用いた装身具１を示し、環状体２に接続された雄型留金４ａと、装飾体５に配設された雌型留金４ｂ（図２（ａ）参照）とを連結する前の状態を示す斜視図であり、図１（ｂ）は環状体２に接続されている雄型留金４ａと、装飾体５に配設された雌型留金４ｂとを連結した後の状態を示す斜視図である。
図１（ａ）に示すように、装身具１は、環状体２と、リング状の環状体２となるように設けた第１留金３と、環状体２に装飾体５を取り付けるために設けた第２留金４と、装飾体５とから構成されており、第２留金４は、環状体２に接続された雄型留金４ａと、前記装飾体５に一体に設けて配設された雌型留金４ｂとから構成されている。
【００３６】
前記環状体２は、例えば、真珠や合成樹脂真珠からなる数珠玉に貫通孔を穿設し、この貫通穴にワイヤや、テグス等の合成樹脂製の糸２ｅ（図２（ａ）参照）等を挿通して形成されている。
前記第１留金３は、一対の引き輪とプレートで構成され、その引き輪の操作によって、簡単に着脱できる周知の機構になっている。
前記第２留金４の雄型留金４ａ（図２参照）は、円柱形の細いピンから形成されており、その先端部４ｄは、先細りの曲面に形成されている。この先端部４ｄに隣接して、全周に亘って溝部４ｅが形成されている。この溝部４ｅに隣接する胴部４ｃの上端部には、部品取付部４ｆが突設して形成されている。この部品取付部４ｆはピン状の端部を成形、もしくは加工にて板状に形成され、部品取付孔が穿設されている。そして、この部品取付孔に連結環４ｇが挿通され、連結環４ｇには前記環状体２が挿通されている（図２（ａ）参照）。前記連結環４ｇは、円形のリング状に形成されているが、この形状は、円形に限らず三角形や楕円形であってもよい。
前記装飾体５は、表面５ａ（図２（ｃ）参照）にデザインが施された装飾部５ｂが形成されている。装飾体５の裏面５ｃにはケース４ｍによってカバーされ筒状の胴部４ｃが形成された雌型留金４ｂが設けられており、雌型留金４ｂの胴部４ｃに雄型留金４ａが嵌入されている。なお、この雌型留金４ｂは、例えば、装飾体５に凹状の溝を設け、固定または固着であってよいし、または内蔵または埋設、接続または結合等により一体に配設しても構わない。なお、内蔵の場合は、押ボタンの押圧に支障がないように開口部を確保するとよい。
この結果、ユーザーは、前記装飾体５の装飾部５ｂのデザインを手掛かりにして、ラフな装い、カジュアルな装い、エレガントな装い、ゴージャスな装い等に合わせて装飾体５を選択（セレクト）もしくは購入する。
【００３７】
図２は前記装飾体５を環状体２に取り付けるための雄型留金４ａと雌型留金４ｂを示す拡大図であり。図２（ａ）は連結前を示す正面図、図２（ｂ）は連結後を示す断面図であり、図２（ｃ）は図２（ａ）に示す雌型留金４ｂの側面図である。
図２（ａ）に示すように、雌型留金４ｂは、円柱管４ｈと、ストッパ４ｉと、バネ４ｊと、押しボタン４ｋと、ケース４ｍとから構成されている。円柱管４ｈの中央部にはストッパ４ｉが配設されていている。このストッパ４ｉには、額縁状、フレーム状に形成され中央に四角形の開口部が形成されており、この開口部の中に円柱管４ｈが配設されている。そして、図２（ｂ）に示すように、ピン状の雄型留金４ａの溝部４ｅにストッパ４ｉが挿入されると、バネ４ｊの付勢力により抜け止めが機能して固定される。また、前記ストッパ４ｉは、バネ４ｊが内設された解除用の押ボタン４ｋをバネ４ｊの付勢力より強く押圧することにより溝部４ｅから抜け、前記ピン状の雄型留金４ａが取り出される。なお、ケース４ｍの形状は、球状や楕円ボール状などその他の形状であってもよいし、なくても構わない。
【００３８】
図１、図２を参照して装身具１の装飾体５の装着方法について説明する。
図１（ａ）に示すように、ユーザーは、例えば、装飾体５，５′，５″…を所有しており、これらの中から選択した結果、中央の楕円形の装飾体５に決めたとすると、図２（ａ）に示すように、第２留金４の雄型留金４ａを、装飾体５が有する雌型留金４ｂの円柱管４ｈの穴に挿入して連結することによって、ワンタッチ操作で装身具１（図１参照）が完成する。
一方、装飾体５を取り外すには、一旦、連結した装飾体５の裏側の左右のどちらかに配置された押しボタン４ｋを押圧することによって、雄型留金４ａであるピンの溝部４ｅ（図２（ｂ）参照）の係合が外れて、取り出される。つぎに、鏡の前で新たな装飾体５に組み替える場合は、首に装着された環状体２はそのままにして、環状体２に接続された雄型留金４ａに、ユーザーが選択した装飾体５′の雌型留金４ｂが配設された雌型留金４ｂにはめ込むことによって、ワンタッチ操作で装身具１が完成する。
【００３９】
＜第２実施の形態＞
図３は、請求項２に係り、第２実施の形態を示す図であり、環状体２には雌型留金４ｂが配設され、装飾体５には雄型留金４ａが接続されており、それらの両留金を連結する前の状態を示す斜視図である。図３に示すように、装身具１は、環状体２と、環状体２の第１留金３（図示せず）と、環状体２に連結環４ｇによって配設された球状の雌型留金４ｂ（第２留金）と、装飾体５に接続された雄型留金４ａ（第２留金）と、装飾体５とから構成されている。図１（ａ）との相違点は、雄型留金４ａと雌型留金４ｂが反対に配置されている点である。このような構成にすることにより、製造コストの高い雌型留金４ｂを共通品とすることができる。
【００４０】
図４は、第２実施の形態の変形例を示す斜視図である。図４に示すように、環状体２は複数本に分割されて構成されており、複数の連結環４ｇ、４ｇに接続されている点が大きく異なる。つまり、環状体２と雌型留金４ｂ（第２留金）との構成は、このように、複数にしても構わない。
【００４１】
＜第３実施の形態＞
図５は請求項３に係り、第３実施の形態を示し、連結環４ｇである固定式連結環６を示す拡大図である。図５に示すように、環状体２と部品取付部４ｆとの間には、固定連結環６が設けられている。固定連結環６には、大小２個の孔が穿設されており、大孔６ａには、部品取付部４ｆが挿通され、小孔６ｂには糸２ｅが挿通されている。
これにより、例えば、前記環状体２の中央に位置決めをすれば、首の裏側の第１留金３（図１参照）の位置を手探りで捜す必要はなく、前記装飾体５の位置を確認することで、前記環状体２の第１留金３のズレを直すことができる。
なお、ここでは、数珠玉を使用した環状体２で説明したが、チェーンの場合はチェーンの、例えば、中央の位置の１個の穴（開口部）を使い、連結環４ｇで接続してもよい。また、紐やワイヤ等を使用する場合は、環状体２の中央に位置決めができるような凸部や凹部、または穴を設けてもよいし、固定連結環６を固着、接着しても構わない。
【００４２】
＜第４実施の形態＞
図６は請求項１に係り、ブレスレット用の環状体２ａを用いた第４実施の形態の装身具１０を示し、図６（ａ）はブレスレット用の環状体２ａ接続されている雄型留金４ａと、装飾体５に一体に配設された雌型留金４ｂとを連結した後の状態を示す斜視図であり、図６（ｂ）は請求項２に係り、ブレスレット用の環状体２ａ（図２、図５参照）に配設された雌型留金４ｂと、装飾体５に接続された雄型留金４ａ（図３参照）とを連結した後の状態を示す斜視図である。図６（ａ）に示すように、装身具１０は、ブレスレット用の環状体２ａと、第１留金３ａと、第２留金（雄型留金４ａと雌型留金４ｂ）４と、ブレスレットヘッドである装飾体５とから構成されている。このブレスレット用の環状体２ａは、手首周りの長さよりも少し長く形成された皮革や布、非鉄金属、プラスチック等で形成されている。
また、図６（ｂ）は、請求項２に係り、図６（ａ）に示すものとの相違する点は、雄型留金４ａと雌型留金４ｂとの位置関係が反対になっている点であり、その他の構成は図３と同じであるため、詳細な説明は同じ符号を付して省略する。なお、ブレスレット用の環状体２ａは、チェーンでもよく、またその他の素材であってもよい。
【００４３】
図６（ｂ）を参照して装身具１０の装着方法について説明する。
図６（ｂ）に示すように、ユーザーは、例えば、ピン（雄型留金４ａ）付の装飾体５，５，５…を多数所有しており、これらの中から図６に示す装飾体５を選択したとする。
第２留金４の雄型留金４ａ（ピン）を、雌型留金４ｂ（例えば、装飾を施したカバーで球状に覆ったもの）に挿入して連結することによって、ワンタッチ操作で装身具１０（図６（ｂ）参照）が完成する。
一方、装飾体５を取り外すには、一旦、連結した装飾体５の裏側の左右のどちらかに配置された押しボタン４ｋを押圧することによって、雄型留金４ａであるピンの溝部４ｅ（図２（ｂ）参照）の係合が外れて、抜き取られる。
【００４４】
＜第５実施の形態＞
図７は請求項１に係り、アンクレット用の環状体２ｂを用いた第５実施の形態の装身具２０を示し、図７（ａ）はアンクレット用の環状体２ｂに接続された雄型留金４ａと、装飾体５に一体に配設された雌型留金４ｂとを連結した後の状態を示す斜視図であり、図７（ｂ）は請求項２に係り、アンクレット用の環状体２ｂに配設された雌型留金４ｂと、装飾体５に接続された雄型留金４ａとを連結した後の状態を示す斜視図である。
図７（ａ）に示すように、装身具２０は、アンクレット用の環状体２ｂと、第１留金３（図１参照）と、第２留金（雄型留金４ａと雌型留金４ｂ）４と、アンクレットヘッドである装飾体５とから構成されている。このアンクレット用の環状体２ｂは、足首周りの長さよりも少し長く形成され、皮革や布、非鉄金属、プラスチック等の、例えばチェーンで構成されている。
また、図７（ｂ）と（ａ）との相違点は、雄型留金４ａと雌型留金４ｂとの位置関係が反対になっている点であり、その他の構成は図３と同じであるため、詳細な説明は同じ符号を付して省略する。
【００４５】
＜第６実施の形態＞
図８は請求項４に係り、イヤリングおよびピアスの第１留金３ｃを用いた第６実施の形態の装身具３０を示し、図８（ａ）はイヤリングの第１留金３ｃに接続された雄型留金４ａと、装飾体５に一体に配設された雌型留金４ｂとを連結した後の状態を示す正面図であり、図８（ｂ）は（ａ）の側面図である。図８（ｂ）に示すように、イヤリングを耳に装着した後であっても、図８（ａ）に示す押ボタン４ｋを押すだけのワンタッチ操作によって、装身体５を交換することができる。
図８（ｄ）はピアスを示す側面図である。図８（ｄ）に示すように、ピアスを耳に装着した装身具３０″とすることにより、ピアスを耳に装着した後であっても、ワンタッチ操作によって、装身体５を交換することができる。
【００４６】
図８（ｅ）は請求項５に係り、イヤリングの第１留金３ｃ（図８（ｆ）参照）に配設された雌型留金４ｂと、装飾体５に接続された雄型留金４ａとを連結した後の状態を示す正面図であり、図８（ｆ）は（ｅ）の側面図である。図８（ｅ）に示すように、図８（ｂ）との相違点は、第２留金４の雌型留金４ｂが第１留金３ｃに配設され、第２留金４の雄型留金４ａは装飾体５に接続されている。つまり、雄型留金４ａと雌型留金４ｂとの位置関係が反対になっている点であり、その他の構成は図３と同じであるため、詳細な説明は同じ符号を付して省略する。
図８（ｈ）はピアスを示す側面図である。図８（ｈ）に示すように、第１留金３ｃであるピアスを耳に装着した装身具３０″とすることにより、押ボタン４ｋ（図８（ｅ）参照）を押すだけのワンタッチ操作によって、装身体５を交換することができる。
【００４７】
図８（ｃ）は請求項６に係り、図８（ｃ）は（ａ）に示す第１留金３ｃに垂下体２ｃを設けた形態の装身具３０′を示す正面図である。図８（ｃ）と（ａ）との相違は、垂下体２ｃが設けられている点である。垂下体２ｃの形状は、環状体であってもよいし、その他の構成であっても構わない。
【００４８】
図８（ｇ）は請求項７に係り、図８（ｇ）は（ｅ）に示す第１留金３ｃに垂下体２ｃを設けた形態の装身具３０′を示す正面図である。図８（ｇ）と（ａ）との相違は、垂下体２ｃが設けられている点である。垂下体２ｃの形状は、環状体であってもよいし、その他の構成であっても構わない。
【００４９】
＜第７実施の形態＞
図９（ａ）、図９（ｂ）は請求項８に係り、ブローチの第１留金３ｄを用いた第７実施の形態の装身具４０を示し、図９（ａ）はブローチの第１留金３ｄに配設された雌型留金４ｂと、装飾体５に接続された雄型留金４ａとを連結した後の状態を示す正面図であり、図９（ｂ）は（ａ）の背面図である。
図９（ｂ）に示すように、第１留金３ｄは、ブローチであり、ブローチピンの針３ｆを衣服に刺したり抜いたりして着脱する。ブローチの第１留金３ｄには雌型留金４ｂが配設されている。また、装飾体５には雄型留金４ａが接続されている。これらは、前記ブローチの第１留金３ｄに配設された雌型留金４ｂと、前記装飾体５に接続された雄型留金４ａとによってワンタッチで連結される。ここでも第２留金４は雄型留金４ａと雌型留金４ｂをいう。
【００５０】
図９（ｃ）、図９（ｄ）は請求項９に係り、図９（ｃ）はブローチの第１留金３ｄに接続された雄型留金４ａと、装飾体５に配設された雌型留金４ｂとを連結した後の状態を示す正面図であり、図９（ｄ）は（ｃ）の背面図である。図９（ｄ）に示すように、図９（ｂ）との相違点は、第２留金の雄型留金４ｂは、前記ブローチに接続され、第２留金４の雌型留金４ｂは前記装飾体に配設されている点である。つまり、雄型留金４ａと雌型留金４ｂとの位置関係が反対になっている点であり、その他の構成は図３と同じであるため、詳細な説明は同じ符号を付して省略する。
【００５１】
＜第８実施の形態＞
図１０は請求項１、２に係り、第８実施の形態を示し、板状の雄型留金４ａと雌型留金４ｂを有する装飾体５の装身具５０を示す斜視図である。図１０に示すように、この装身具５０は、環状体２と、第１留金３（図１参照）と、第２留金（雄型留金４ａと雌型留金４ｂ）４と、装飾体５とから構成されている。この雄型留金４ａは、Ｖ字状の板バネによって形成されており、装飾体５の差込口５ｄに挿入することによって、挿入された板バネが付勢力に抗して薄くなり、中で元に戻ることによって、雄型留金４ａが差込口５ｄの外に出ることがない周知の技術である。さらに、第２留金４の雄型留金４ａと雌型留金４ｂとの配置を反対にしてもよい。ペンダントの他に、ブレスレットやアンクレット、イヤリングやブローチに適用してもよい。
【００５２】
＜第９実施の形態＞
図１１は請求項１、２に係り、第９実施の形態を示し、第２留金４にマグネットを使用した装身具６０を示す斜視図である。図１１に示すように、この装身具６０は、環状体２と、第１留金３（図１参照）と、第２留金（雄型留金４ａ，雌型留金４ｂ）４と、装飾体５とから構成されている。雄型留金４ａと雌型留金４ｂは、一方がマグネットのＮ極であり、他方がＳ極からなり、お互いを接近させることによって、雄型留金４ａと雌型留金４ｂが嵌めあい、磁力線によって磁着する。さらに、雄型留金４ａと雌型留金４ｂの配置を反対にすることができる。
【００５３】
＜第１０実施の形態＞
図１２は、請求項１０に係り、第１０実施の形態の装身具を示し、（ａ）は第３留金７を用いたペンダントの装身具７０を示す斜視図、（ｂ）は第３留金７のｅ部拡大図であり、（ｃ）は第３留金７を用いて複数個の装身体５を接続した実施例を示す斜視図である。
図１２（ａ）に示すように、環状体２は、たとえば、数珠球とすると都合がよい。
図１２（ｂ）に示すように、第３留金７は、引き輪７ａであり、装身体５の上部には、引き輪７ａと組み合せとなるプレート５ｅが接続されている。そして、引き輪７ａに一体に形成された連結環７ｂの通し穴に糸２ｅを挿通して構成されている。このようにすることにより、前記した固定連結環６（図５参照）の代わりに引き輪７ａによって位置決めができて、しかも、引き輪７ａのレバー７ｃを操作すると、閉鎖されたリング状の引き輪７ａの１箇所が開口し、その開口から装身体５に固定されたプレート５ｅを装着できる。
また、図１２（ｃ）に示すように、第３留金７の引き輪７ａは複数である。このように、引き輪７ａと装身体５は１セットに限らず、複数セットの接続であってもよい。これにより、環状体２に引き輪７ａの位置決めができて、しかも、引き輪７ａのレバー７ｃを操作するだけで、装身体５の装着、交換ができる。
したがって、ネックレスに限らず、ブレスレット、アンクレット、イヤリング、ピアス、ブローチ等の装身具にも、引き輪７ａを使用して装飾体５を組み替えることができる。
【００５４】
＜第１１実施の形態＞
図１３は、前記同様に、請求項１０に係り、第１１実施の形態を示し、図１３（ａ）は第３留金を用いたペンダントの装身具７０′を示す斜視図、（ｂ）は第３留金のｆ部拡大図であり、（ｃ）も同様、第３留金の変形例を示すｆ部拡大図であり、図１３（ｄ）は第３留金を用いて複数個の装身体５を接続した実施例を示す正面図である。
図１３（ａ）に示すように、環状体２はここではチェーンとすると都合がよい。
図１３（ｂ）に示すように、第３留金７は、引き輪７ａであり、装身体５の上部には、引き輪７ａと組み合せとなるプレート５ｅが接続され、引き輪７ａとプレート５ｅとは、連結環４ｇで連結されている。
図１３（ｃ）の引き輪７ａ′は、引き輪７ａの変形である。図１３（ｃ）示すように、この引き輪７ａ′には、連結環７ｂはなく、ただ１つのリング状になっている。そこで、チェーンの１つの開口部２ｄと装身体５のプレート５ｅに直接挿通して構成されている。このように、ダイレクトに接続することにより、最少の部品点数で引き輪７ａ′の位置決めができて、しかも、引き輪７ａ′のレバー７ｃを操作するだけで、装身体５の装着が簡単にできる。
また、図１３（ｄ）に示すように、第３留金７の引き輪７ａは複数である。このように、装身体５は１個に限らず、複数個の接続も可能である。この場合は、引き輪７ａの数も複数個にするとよい。これにより、環状体２に引き輪７ａの位置決めができて、しかも、引き輪７ａのレバー７ｃを操作するだけで、装身体５の装着、交換ができる。したがって、ネックレスに限らず、ブレスレット、アンクレット、イヤリング、ピアスおよびブローチ等の装身具にも、引き輪を使用して装飾体を組み替える装身具が可能である。
なお、引き輪７ａ、７ａ′の形は丸形としたが、四角形の引き輪、ハート形の引き輪、その他の形の引き輪であってもよい。また、引き輪の代わりにカニカンやニューホック、その他のジョイント類であっても構わない。
【００５５】
以上、各実施の形態について説明したが、本発明は、前記した各実施の形態に限定されることなく、適宜変更して実施することができる。例えば、
１．環状体２は、数珠玉に限らず、その他の環状体材であってもよい。
２．第１留金３もまた、その他の構成、構造を有する留金であっても構わない。
３．第２留金の雌型留金４ｂは、図２（ｂ）に示すような構成以外であってもよい。
４．図５に示す雌型留金４ｂを保有するものの形状は、球状、円筒状、楕円球状であってもよいし、その他の形状であっても構わない。
５．ピンである雄型留金４ａの外周に螺旋を切り、筒状の内面にも螺旋を設けてもかまわないし、先に本出願人が開発した連結具であってもよい（特開２００３−２２５１０７号公報参照）。
【図面の簡単な説明】
【００５６】
【図１】第1実施の形態のネックレス用の環状体を用いた装身具を示し、（ａ）はペンダント用の環状体を用いた装身具を示し、雄型留金と雌型留金とを連結する前の状態を示す斜視図である。（ｂ）は雄型留金と雌型留金とを連結した後の状態を示す斜視図である。
【図２】装飾体を環状体に取り付けるための雄型留金と雌型留金を示す拡大図であり、（ａ）は連結前を示す正面図、（ｂ）は連結後を示す断面図、（ｃ）は図２（ａ）に示す雌型留金の側面図である。
【図３】第２実施の形態を示し、雌型留金と雄型留金とを連結する前の状態を示す斜視図である。
【図４】図３に示す第２実施の形態の変形例を示す斜視図である。
【図５】第３実施の形態を示し、連結環４ｇである固定式連結環６を示す拡大図である。
【図６】ブレスレット用の環状体を用いた第４実施の形態の装身具を示し、（ａ）はブレスレット用の環状体に接続されている雄型留金と、装飾体に一体に配設された雌型留金とを連結した後の状態を示す斜視図である。（ｂ）はブレスレット用の環状体に配設された雌型留金と、装飾体に接続された雄型留金とを連結した後の状態を示す斜視図である。
【図７】アンクレット用の環状体を用いた第５実施の形態の装身具を示し、（ａ）はアンクレット用の環状体に接続された雄型留金と、装飾体に一体に配設された雌型留金とを連結した後の状態を示す斜視図である。（ｂ）はアンクレット用の環状体に配設された雌型留金と、装飾体に接続された雄型留金とを連結した後の状態を示す斜視図である。
【図８】イヤリングの第１留金を用いた第６実施の形態の装身具を示し、（ａ）はイヤリングの第１留金に接続された雄型留金と、装飾体に一体に配設された雌型留金とを連結した後の状態を示す正面図である。（ｂ）は（ａ）の側面図である。（ｃ）は（ａ）に示す第１留金に垂下体を設けた形態の装身具を示す正面図である。（ｄ）ははピアスを示す側面図である。（ｅ）はイヤリングの第１留金に配設された雌型留金と、雄型留金を接続した装飾体を連結した後の状態を示す正面図である。（ｆ）は（ｅ）の側面図である。（ｇ）は（ｅ）に示す第１留金に垂下体を設けた形態の装身具を示す正面図である。（ｈ）はピアスを示す側面図である。
【図９】ブローチの第１留金を用いた第７実施の形態の装身具を示し、（ａ）はブローチの第１留金に配設された雌型留金と、装飾体に接続された雄型留金とを連結した後の状態を示す正面図である。（ｂ）は（ａ）の背面図である。（ｃ）はブローチの第１留金に接続された雄型留金と、装飾体に配設された雌型留金とを連結した後の状態を示す正面図である。（ｄ）は（ｃ）の背面図である。
【図１０】第８実施の形態を示し、板状の雄型留金と雌型留金を有する装飾体の装身具を示す斜視図である。
【図１１】第９実施の形態を示し、第２留金にマグネットを使用した装身具を示す斜視図である。
【図１２】第１０実施の形態を示し、（ａ）は第３留金を用いたペンダントの装身具を示す斜視図、（ｂ）は第３留金のｅ部拡大図、（ｃ）は第３留金を用いて複数個の装身体を接続した実施例を示す斜視図である。
【図１３】第１１実施の形態を示し、（ａ）は第３留金を用いたペンダントの装身具を示す斜視図、（ｂ）は第３留金の拡大図、（ｃ）も第３留金の変形例を示すｆ部拡大図、（ｄ）は第３留金を用いて複数個の装身体を接続した実施例を示す斜視図である。
【図１４】従来技術のペンダント付きネックレスを示す斜視図である。
【符号の説明】
【００５７】
１、１０、２０、３０、３０′、３０″、４０、５０、６０、７０、７０′  装身具
２、２ａ、２ｂ  環状体
２ｃ  垂下体
２ｄ  開口部
２ｅ    糸
３、３ａ、３ｂ、３ｃ、３ｄ、３ｇ  第１留金
３ｅ  小ネジ
３ｆ  針（ブローチピン）
３ｈ  止め金
４      第２留金
４ａ    雄型留金
４ｂ    雌型留金
４ｃ    胴部
４ｄ    先端部
４ｅ    溝部
４ｆ    部品取付部
４ｇ    連結環
４ｈ    円柱管
４ｉ    ストッパ
４ｊ    バネ
４ｋ    押しボタン
４ｍ    ケース
５      装飾体
５ａ    表面
５ｂ    装飾部
５ｃ    裏面
５ｄ    差込口
５ｅ    プレート
６      固定連結環
６ａ    大穴
６ｂ    小穴
７      第３留金
７ａ、７ａ′  引き輪
７ｂ    連結環
７ｃ    レバー
【図１】
2005198930.tif 000003
【図２】
2005198930.tif 000004
【図３】
2005198930.tif 000005
【図４】
2005198930.tif 000006
【図５】
2005198930.tif 000007
【図６】
2005198930.tif 000008
【図７】
2005198930.tif 000009
【図８】
2005198930.tif 000010
【図９】
2005198930.tif 000011
【図１０】
2005198930.tif 000012
【図１１】
2005198930.tif 000013
【図１２】
2005198930.tif 000014
【図１３】
2005198930.tif 000015
【図１４】
2005198930.tif 000016